(57)【要約】【課題】スリーブの重量増加を抑えながら、シャフト先端径の大小に対応可能なスリーブを有したゴルフクラブを提供する。【解決手段】ホゼル穴３Ｈを有するヘッド２と、スリーブシャフト挿入穴９を有し、該ホゼル穴３Ｈに挿入されるスリーブ５と、該スリーブシャフト挿入穴９に挿入されたシャフト４とを有するゴルフクラブ１であって、該スリーブ５は、横方向Ｙにおいて、スリーブホゼル上面接触部５ｓの中心５Ａと、スリーブ上部開口９ｈの中心９Ａが同じではなく、該スリーブ５の上部側面の傾斜角度が一定でなく、縦方向Ｚに対する傾斜角度α，βが、０°超、２０°以下である。【選択図】図１
2017124092.tif 000002
【特許請求の範囲】
【請求項１】
ホゼル穴を有するヘッドと、
スリーブシャフト挿入穴を有し、該ホゼル穴に挿入されるスリーブと、
該スリーブシャフト挿入穴に挿入されたシャフトと
を有するゴルフクラブにおいて、
該スリーブは、横方向において、スリーブホゼル上面接触部の中心と、スリーブ上部開口の中心が同じではなく、
該スリーブの上部側面の傾斜角度が一定でなく、縦方向に対する傾斜角度が、０°超、２０°以下であることを特徴とするゴルフクラブ。
【請求項２】
請求項１において、
スリーブ上部開口が、横方向において、少なくとも部分的に、スリーブ中間部側面の最外周位置を超えて開口することを特徴とするゴルフクラブ。
【請求項３】
請求項１又は２において、前記スリーブシャフト挿入穴に、スリーブシャフト挿入穴下部とスリーブシャフト挿入穴上部とが設けられており、
該スリーブシャフト挿入穴下部の直径よりも該スリーブシャフト挿入穴上部の直径が大きいことを特徴とするゴルフクラブ。
【請求項４】
請求項３において、前記スリーブシャフト挿入穴下部から、スリーブシャフト挿入穴上部へ移行するスリーブシャフト挿入穴移行部が設けられており、
該スリーブシャフト挿入穴移行部は曲率を有することを特徴とするゴルフクラブ。
【発明の詳細な説明】
【技術分野】
【０００１】
本発明は、スリーブを有するゴルフクラブに関するものである。
【背景技術】
【０００２】
ライ角やスライス角等の特性を調節することができるゴルフクラブとして、特許文献１には、図７の通り、シャフト１４の先端にスリーブ状のシャフトケース１５を固着し、このシャフトケース１５をヘッド１２のホゼル１３に挿入し、螺子部材で固定したゴルフクラブ１１が記載されている。このシャフトケース１５のシャフト挿入穴の軸心線方向ａ２はホゼル１３の軸心線方向ａ１に対して角度θだけ傾いているので、シャフトケース１５の周方向位相を変えることにより、シャフト１４の傾き方向を変えてライ角やスライス角等の特性を調節することができる。
【０００３】
図７（ａ）〜（ｄ）は、特許文献１に示されているゴルフクラブ１１において、シャフトの傾き方向を変えた様子を示している。図７（ａ）では、シャフト１４は最もヒール側に傾いている。図７（ｂ）では、シャフト１４は最もトウ側に傾いている。図７（ｃ）では、シャフト１４は最も後側に傾いた状態となっている。図７（ｄ）では、シャフト１４は最も前側に傾いた状態となっている。
【０００４】
シャフトのヘッドへの挿入角度を変更可能とした同様の構造が特許文献２〜５にも記載されている。
【先行技術文献】
【特許文献】
【０００５】
【特許文献１】特開２０１１−２１７９４６号公報
【特許文献２】特開２０１１−１０３９８５号公報
【特許文献３】実用新案登録３１８１４７１号公報
【特許文献４】特開２００９−２９１６０２号公報
【特許文献５】特開２０１３−１８００３９号公報
【発明の概要】
【発明が解決しようとする課題】
【０００６】
シャフトの先端径は１Ｗ（ドライバー）、ＦＷ（フェアウェーウッド）、ＵＴ（ユーティリティ）、アイアン用で各々、大小がある。
【０００７】
従来のスリーブ構造のまま、それよりもシャフトの先端径の大きいシャフトに適用させようとすると、スリーブのシャフト挿入穴を大きくする必要があるが、単に大きくすると、部分的に肉厚が不足する場合がある。そこで、肉厚が足りるよう、スリーブ外径を大きくすると、それに対応するようにヘッドのホゼル外径も大きくする必要が出てくる。
【０００８】
ヘッドのホゼル外径を従来よりも大きくすると、ヘッド重量が増加してしまう、対応するスリーブの重量も増加してしまう、構えた時に違和感を感じる場合がある、等の問題が生じる。
【０００９】
本発明は、アドレス時に構えやすく、スリーブの重量増加を抑えながら、シャフト先端径の大小に対応可能なスリーブを有したゴルフクラブを提供することを目的とする。
【課題を解決するための手段】
【００１０】
本発明のゴルフクラブは、ホゼル穴を有するヘッドと、スリーブシャフト挿入穴を有し、該ホゼル穴に挿入されるスリーブと、該スリーブシャフト挿入穴に挿入されたシャフトとを有するゴルフクラブにおいて、該スリーブは、横方向において、スリーブホゼル上面接触部の中心と、スリーブ上部開口の中心が同じではなく、該スリーブの上部側面の傾斜角度が一定でなく、縦方向に対する傾斜角度が、０°超、２０°以下であることを特徴とする。
【００１１】
本発明の一態様では、スリーブ上部開口が、横方向において、少なくとも部分的に、スリーブ中間部側面の最外周位置を超えて開口する。
【００１２】
本発明の一態様では、前記スリーブシャフト挿入穴に、スリーブシャフト挿入穴下部とスリーブシャフト挿入穴上部とが設けられており、該スリーブシャフト挿入穴下部の直径よりも該スリーブシャフト挿入穴上部の直径が大きい。
【００１３】
本発明の一態様では、前記スリーブシャフト挿入穴下部から、スリーブシャフト挿入穴上部へ移行するスリーブシャフト挿入穴移行部が設けられており、該スリーブシャフト挿入穴移行部は曲率を有する。
【発明の効果】
【００１４】
本発明のゴルフクラブにあっては、アドレス時に構えやすく、スリーブの重量増加を抑えながら、シャフト先端径の大小に対応可能である。
【図面の簡単な説明】
【００１５】
【図１】実施の形態に係るゴルフクラブのホゼル付近の断面図である。
【図２】（ａ）はスリーブの正面図、（ｂ）はスリーブの正面縦断面図である。
【図３】（ａ）はスリーブの背面図、（ｂ）はスリーブの側面図である。
【図４】（ａ）はスリーブの下方からの斜視図、（ｂ）はスリーブの上方からの斜視図である。
【図５】（ａ）はスリーブの正面縦断面図、（ｂ）は（ａ）の上部の拡大図である。
【図６】スリーブの縦断面図である。
【図７】従来のゴルフクラブの構成図である。
【発明を実施するための形態】
【００１６】
以下、図１〜６を参照して実施の形態に係るゴルフクラブ１を説明する。このゴルフクラブ１は、ヘッド２のホゼル３のホゼル穴３Ｈに対し、シャフト４付きのスリーブ５を差し込み、ボルト（固定ねじ）６を介して着脱可能に取り付けたものである。このヘッド２は中空のウッド型のものであるが、アイアン型やユーティリティ型等であってもよい。ホゼル穴３Ｈは、上端が開放し、下端の底面部７にボルト挿通孔７ａが設けられている。ボルト６は、このボルト挿通孔７ａを通ってスリーブ５のスリーブねじ穴６ｈにねじ込まれている。本発明では、図５（ａ）に示す通り、このスリーブねじ穴６ｈの中心軸方向６Ａと平行方向を縦方向Ｚという。また、縦方向Ｚと直交方向を横方向Ｙという。
【００１７】
ホゼル穴上部３ａの内周面には、次に説明するスリーブ係合部５ａの雄形スプライン８ｂに係合するように形成された雌形スプライン８ａが設けられている。ホゼル穴３Ｈのホゼル穴中間部３ｂは、次に説明するスリーブ５のスリーブ中間部５ｂが挿入可能な内径を有している。ホゼル穴下部３ｃはホゼル穴中間部３ｂと等径である。
【００１８】
スリーブ５は、図２の通り、上側から順次スリーブ上部５ｄと、スリーブ係合部５ａと、スリーブ中間部５ｂと、スリーブ下部５ｃとを有している。スリーブ係合部５ａの外周面には雄形スプライン８ｂが設けられている。スリーブ上部５ｄの側面は、円筒面部５ｅと、それよりも上側の、上方ほど径が小さくなる傾斜面部５ｆとからなっている。
【００１９】
この傾斜面部５ｆの縦方向の傾斜角は、図５の通り、直径方向の一端側５ｆ’における傾斜角αが最も大きく、他端側５ｆ''の傾斜角βが最も小さくなっており、傾斜角が一定でない。そして、この傾斜角は、一端側５ｆ’から他端側５ｆ''にかけて徐々に小さくなっている。横方向において、スリーブホゼル上面接触部の中心と、スリーブ上部開口の中心が同じでない場合、傾斜角が一定であると、スリーブ上部の外径を大きくなり、スリーブの重量が増加してしまう場合がある。そして、スリーブ上部の外径が大きくなると、それに対応するようにヘッドのホゼル外径も大きくする必要があり、ヘッドの重量も増加してしまう。
【００２０】
傾斜面部５ｆの縦方向の傾斜角は０°超、特に１°以上が好ましく、２０°以下、特に１５°以下が好ましい。これにより、スリーブの重量の増加を抑えることができる。また、シャフト外径とスリーブ頂面５ｇとの外径の差を小さくすることができる。これにより、従来のように、側面に傾斜角のついたフェルールをシャフト先端側に取り付け、フェルールをスリーブ頂面５ｇに当接させて、シャフト外径とスリーブ頂面の外径の差を小さくするような必要がなくなる。また、従来のような、ヘッドのホゼルから突出する部分が、スリーブ上部とさらにその上のフェルールとなり、アドレス時にこの部分が長く感じられ構えにくい、という問題は解消される。傾斜角が大き過ぎると、スリーブ上部の外径が大きくなり、スリーブの重量が増加してしまう場合があり、小さ過ぎると、シャフト外径とスリーブ頂面５ｇの外径の差が大きくなり、アドレス時に構えにくい場合がある。この実施の形態では、α＝１２°、β＝３°である。
【００２１】
円筒面部５ｅは、スリーブ係合部５ａよりも直径（外径）が大きく、円筒面部５ｅとスリーブ係合部５ａとの境界部が段差状のスリーブホゼル上面接触部５ｓとなっている。
【００２２】
スリーブ５は、スリーブホゼル上面接触部５ｓがホゼル３の上端３ｔに当接するまで、ホゼル穴３Ｈの雌形スプライン８ａとスリーブ５の雄形スプライン８ｂとを係合させながら、ホゼル穴３Ｈに挿入される。
【００２３】
スリーブ中間部５ｂは、スリーブ係合部５ａよりも直径（外径）が小さく、スリーブ下部５ｃよりも直径（外径）が大きい。スリーブ中間部５ｂには、少なくとも部分的に、縦方向Ｚと同じ方向に延びる外周面部分や、スリーブシャフト挿入穴の中心軸に向かい凹むような湾曲面部分を有してもよい。この実施の形態では、スリーブ中間部５ｂは、縦方向Ｚと同じ方向に延びる外周面部分を有している。
【００２４】
スリーブ頂面５ｇから下方に向ってスリーブシャフト挿入穴９が設けられている。この実施の形態では、スリーブシャフト挿入穴９の中心軸方向９Ｘは、スリーブねじ穴６ｈの中心軸方向６Ａに対し、傾斜している。傾斜していることで、図７の従来のゴルフクラブヘッドのように、ライ角やスライス角等の特性を調節することができる。スリーブシャフト挿入穴９は、大径のスリーブシャフト挿入穴上部９ａと、小径のスリーブシャフト挿入穴下部９ｃと、それらの間のスリーブシャフト挿入穴移行部９ｂとを有する。スリーブシャフト挿入穴移行部９ｂは、下方ほど径が小さくなっている。スリーブシャフト挿入穴移行部９ｂの内周面は、スリーブ５の縦断面においてスリーブシャフト挿入穴９の軸心に向って凸となるように湾曲する曲率を周方向にわたり有している。そのため、ゴルフボールを打撃した場合、スリーブシャフト挿入穴上部９ａとスリーブシャフト挿入穴下部９ｃとの間付近でシャフト４に応力が集中することが防止される。
【００２５】
図５の通り、スリーブ頂面５ｇにおけるスリーブシャフト挿入穴９の開口がスリーブ上部開口９ｈである。横方向において、このスリーブ上部開口９ｈの中心９Ａは、スリーブホゼル上面接触部５ｓの中心５Ａと同じではない。これにより、スリーブの重量増加を抑えながら、シャフト先端径の大小に対応可能となる。中心９Ａと中心５Ａを同じにすると、シャフトの先端径が大きい場合、スリーブシャフト挿入穴９の下端において、スリーブ中間部５ｂの肉厚が薄くなり過ぎる又は穴が開いてしまう場合があり、それに対応してスリーブ中間部５ｂの肉厚を厚くしてしまうとスリーブの重量が増加してしまう。この実施の形態では、スリーブ上部開口９ｈの中心９Ａは、スリーブホゼル上面接触部５ｓの中心５Ａよりも前記他端側５ｆ''に寄っている。
【００２６】
また、図６の通り、スリーブ頂面５ｇにおけるスリーブ上部開口９ｈは、横方向において、少なくとも部分的にスリーブ中間部５ｂの側面の最外周位置５ｂ’を超えている。これにより、スリーブの重量増加をさらに抑制することができる。図６では、前記他端側５ｆ''のスリーブ中間部５ｂの側面の最外周位置５ｂ’から縦方向Ｚに延長した線を縦線Ｈ１とした場合、スリーブ上部開口９ｈのうち、該他端側５ｆ''近傍部分は、縦線Ｈ１よりも該他端側５ｆ''に位置している。
【００２７】
また、この実施の形態では、前記一端側５ｆ’におけるスリーブ中間部５ｂの側面の最外周位置５ｂ’から縦方向に延長した線を縦線Ｈ２とした場合、スリーブ上部開口９ｈのうち該一端側５ｆ’近傍部分は縦線Ｈ２よりも他端側５ｆ''に位置している。
【００２８】
シャフト４の先端側に接着剤を塗布し、シャフト４をスリーブシャフト挿入穴９に差し込み、接着剤を硬化させることによりシャフト４とスリーブ５とが一体化される。このスリーブ５をホゼル穴３Ｈに挿入し、ボルト６をボルト挿通孔７ａを通してスリーブねじ穴６ｈに螺着させることにより、ゴルフクラブ１が構成される。
【００２９】
このゴルフクラブ１にあっては、スリーブ５の横方向Ｙにおいて、スリーブホゼル上面接触部５ｓの中心５Ａとスリーブ上部開口９ｈの中心９Ａが同じではないので、ヘッド２のホゼル３の外径を維持し、スリーブ５の重量増加を抑えながら、シャフト４の先端径の大小に対応可能である。
【００３０】
このゴルフクラブ１にあっては、スリーブ上部５ｄの側面に傾斜面部５ｆが設けられ、傾斜角度がついているので、シャフト４の外径との差が小さく、アドレス時に構えやすい。
【００３１】
また、スリーブ上部５ｄの側面の傾斜面部５ｆに傾斜角度がついているので、スリーブ５と別体のフェルールを設ける必要がない。
【００３２】
このゴルフクラブ１にあっては、スリーブ上部５ｄの側面の傾斜面部５ｆの傾斜角度が一端側５ｆ’から他端側５ｆ''にかけて徐々に小さくなっており、スリーブ上部５ｄの側面の周方向において一定ではないので、スリーブ５の重量増加を抑えることができる。
【００３３】
上記実施の形態は本発明の一例であり、本発明は上記以外の構成とされてもよい。
【符号の説明】
【００３４】
１  ゴルフクラブ
２  ヘッド
３  ホゼル
３Ｈ  ホゼル穴
４  シャフト
５  スリーブ
６  ボルト
９  スリーブシャフト挿入穴
【図１】
2017124092.tif 000003
【図２】
2017124092.tif 000004
【図３】
2017124092.tif 000005
【図４】
2017124092.tif 000006
【図５】
2017124092.tif 000007
【図６】
2017124092.tif 000008
【図７】
2017124092.tif 000009